(57)【要約】【課題】表示用パネルに光学フィルムを貼付する際に安定した貼付位置精度を自動で長期的に維持できるようにする。【解決手段】本発明は、表示用パネルに光学フィルムを貼り付けた後の貼り付け位置のズレ情報を検出し、検出されたズレ情報に基づいて光学フィルム供給手段のアライメント処理条件を変更するフィードバック処理を行なうものである。表示用パネルの両面（第１主表面（ＣＦ面）及び第２主表面（ＴＦＴ面））に光学フィルムをほぼ同時に貼り付ける場合も同様に両面の光学フィルムの貼り付け位置のズレ情報をそれぞれ検出し、検出されたズレ情報に基づいて光学フィルム供給手段のアライメント処理条件をそれぞれ別々に変更するフィードバック処理を行なう。【選択図】図１
2010072183.tif 000002
【特許請求の範囲】
【請求項１】
表示用パネルを搬送する表示用パネル搬送手段と、
前記表示用パネルの少なくとも片面側の所定位置にアライメント処理された光学フィルムを供給する光学フィルム供給手段と、
前記アライメント処理された前記光学フィルムを前記表示用パネルに貼り付ける光学フィルム貼り付け手段と、
前記光学フィルム貼り付け後の前記表示用パネルにおける前記光学フィルムの貼り付け位置のズレ情報を検出し、前記ズレ情報に基づいて前記光学フィルム供給手段の行なう前記アライメント処理の条件を変更するフィードバック処理手段と
を備えたことを特徴とする光学フィルム貼り付け装置。
【請求項２】
表示用パネルを略垂直状態で搬送する表示用パネル搬送手段と、
前記表示用パネルの両面側の所定位置にアライメント処理された第１及び第２の光学フィルムを略垂直状態で供給する光学フィルム供給手段と、
前記アライメント処理された前記第１及び第２の光学フィルムを前記表示用パネルの両面にほぼ同時に貼り付ける光学フィルム貼り付け手段と、
前記第１及び第２の光学フィルム貼り付け後の前記表示用パネルにおける前記第１及び第２の光学フィルムの貼り付け位置のズレ情報を検出し、前記ズレ情報に基づいて前記光学フィルム供給手段の行なう前記アライメント処理の条件を前記第１及び第２の光学フィルム毎に変更するフィードバック処理手段と
を備えたことを特徴とする光学フィルム貼り付け装置。
【請求項３】
請求項１又は２において、前記フィードバック処理手段は、前記光学フィルムの貼り付け枚数がそれぞれ４０枚乃至１００枚毎に前記アライメント処理の条件を変更することを特徴とする光学フィルム貼り付け装置。
【請求項４】
請求項１から３までのいずれか１に記載の光学フィルム貼り付け装置を用いて光学フィルムを表示用パネルへ貼り付けることを特徴とする表示用パネルの製造方法。
【発明の詳細な説明】
【技術分野】
【０００１】
本発明は、液晶パネル等の表示用パネルへ偏光板や位相差板等から成る光学フィルムを貼り付ける光学フィルム貼り付け装置及び表示用パネルの製造方法に係り、特に光学フィルムを表示用パネルの両面にほぼ同時に貼り付ける光学フィルム貼り付け装置及び表示用パネルの製造方法に関する。
【背景技術】
【０００２】
液晶ディスプレイ装置の製造工程では、ＴＦＴ（Ｔｈｉｎ  Ｆｉｌｍ  Ｔｒａｎｓｉｓｔｏｒ）基板とカラーフィルタ基板との間に液晶を封入して液晶パネルを構成した後、液晶パネルの表面及び裏面に偏光板の貼り付けが行われる。さらに、視覚補償用の位相差板が貼り付けられる場合もある。このような偏光板や位相差板等から成る光学フィルムの貼り付けは、光学フィルム貼り付け装置によって行われている。
【０００３】
通常、光学フィルムには、予め粘着剤が塗布され、粘着剤の上には保護フィルムが被せられている。光学フィルム貼り付け装置には、光学フィルムから保護フィルムの剥離を行う第１の作業位置と、光学フィルムの表示用パネルへの貼り付けを行う第２の作業位置とが設けられており、光学フィルムを吸着テーブル等の保持手段により保持しながら、まず、第１の作業位置において光学フィルムから保護フィルムを剥離した後、光学フィルムを第１の作業位置から貼り付けの行われる第２の作業位置へ移動し、第２の作業位置において光学フィルムをアライメント処理して表示用パネルへの貼り付けを行っている。なお、光学フィルムの液晶パネルへの貼り付け装置又は貼り付け方法としては、例えば、特許文献１に記載のようなものが知られている。
【特許文献１】韓国特許１０−０５５６３３９号公報
【発明の開示】
【発明が解決しようとする課題】
【０００４】
特許文献１に記載の偏光板貼り付け装置は、カラー液晶ディスプレイの大型化に伴う、偏光板貼り付け裝置のフットプリントの拡大を抑制するために、液晶セル基板を起立させた状態で真空吸着ドラムに偏光板を密着保持し、液晶セル基板の第１主表面（ＣＦ面）及び第２主表面（ＴＦＴ面）に同時に偏光板を貼り付けることによって、液晶セル基板の搬送方向に直交する方向（幅方向）のフットプリントの拡大を抑制している。
【０００５】
特許文献１に記載の偏光板貼り付け装置は、液晶セル基板（表示パネル）に偏光板（光学フィルム）を貼り付ける際に、両者を略垂直状態に起立させて、起立状態で偏光板を真空吸着ドラムに密着保持し、真空吸着ドラムを回転制御することによって液晶セル基板の両面（第１主表面（ＣＦ面）及び第２主表面（ＴＦＴ面））にほぼ同時に偏光板を貼り付けている。
一方、偏光板貼り付け装置では、投入される部材に適した装置の運転条件を「レシピ」と称する条件設定画面で入力する。これは、部材品種による機械的性質の違いや、貼付ローラの摩耗等貼付けに関する条件が微妙に変化した場合、貼付品質となる気泡や位置ズレに影響を与えることが分かっているからである。従来は、作業者によって貼付後の貼付位置を計測し、そのずれている量（位置ズレ量）をレシピの補正値として入力してから生産を開始している。しかしながら、偏光板貼り付け装置の貼り付け作業を長時間行なっていると、生産の途中で運転条件が微妙に変化する場合があり、それによって生産効率が低下したり、強いては品質の低下を招く要因となり、問題となっていた。
【０００６】
本発明は、上述の点に鑑みてなされたものであり、安定した貼付位置精度を自動で長期的に維持することのできる光学フィルム貼り付け装置及び表示用パネルの製造方法を提供することである。
【課題を解決するための手段】
【０００７】
本発明に係る光学フィルム貼り付け装置の第１の特徴は、表示用パネルを搬送する表示用パネル搬送手段と、前記表示用パネルの少なくとも片面側の所定位置にアライメント処理された光学フィルムを供給する光学フィルム供給手段と、前記アライメント処理された前記光学フィルムを前記表示用パネルに貼り付ける光学フィルム貼り付け手段と、前記光学フィルム貼り付け後の前記表示用パネルにおける前記光学フィルムの貼り付け位置のズレ情報を検出し、前記ズレ情報に基づいて前記光学フィルム供給手段の行なう前記アライメント処理の条件を変更するフィードバック処理手段とを備えたことにある。
これは、表示用パネルに光学フィルムを貼り付けた後の貼り付け位置のズレ情報を検出し、検出されたズレ情報に基づいて光学フィルム供給手段のアライメント処理条件を変更するフィードバック処理を行なうようにしたものである。これによって、安定した貼付位置精度を自動で長期的に維持することができ、生産効率を格段に向上することができる。
【０００８】
本発明に係る光学フィルム貼り付け装置の第２の特徴は、表示用パネルを略垂直状態で搬送する表示用パネル搬送手段と、前記表示用パネルの両面側の所定位置にアライメント処理された第１及び第２の光学フィルムを略垂直状態で供給する光学フィルム供給手段と、前記アライメント処理された前記第１及び第２の光学フィルムを前記表示用パネルの両面にほぼ同時に貼り付ける光学フィルム貼り付け手段と、前記第１及び第２の光学フィルム貼り付け後の前記表示用パネルにおける前記第１及び第２の光学フィルムの貼り付け位置のズレ情報を検出し、前記ズレ情報に基づいて前記光学フィルム供給手段の行なう前記アライメント処理の条件を前記第１及び第２の光学フィルム毎に変更するフィードバック処理手段とを備えたことにある。
これは、表示用パネルの両面（第１主表面（ＣＦ面）及び第２主表面（ＴＦＴ面））に光学フィルムをほぼ同時に貼り付ける光学フィルム貼り付け装置においても、同様に表示用パネルの両面における光学フィルムの貼り付け位置のズレ情報をそれぞれ検出し、検出されたズレ情報に基づいて光学フィルム供給手段のアライメント処理条件をそれぞれ別々に変更するフィードバック処理を行なうようにしたものである。これによって、表示用パネルの両面において安定した貼付位置精度を自動で長期的に維持することができ、生産効率を格段に向上することができる。
【０００９】
本発明に係る光学フィルム貼り付け装置の第３の特徴は、前記第１又は第２の特徴に記載の光学フィルム貼り付け装置において、前記フィードバック処理手段は、前記光学フィルムの貼り付け枚数がそれぞれ４０枚乃至１００枚毎に前記アライメント処理の条件を変更することにある。光学フィルムは、そのロットごとに多少のバラツキが生じることが分かっているので、この発明では、光学フィルムの２〜３ロット分の枚数又は４０〜１００枚毎にズレ情報の平均値に基づいてアライメント処理の条件を変更する。ズレ情報に基づいて常時フィードバック処理を行なうと、逆に貼り付け精度を劣化させるおそれがあるからである。なお、ズレ情報の平均値が許容範囲以下の場合にはフィードバック処理を行なわないようにしてもよい。
【００１０】
本発明に係る表示用パネルの製造方法の特徴は、前記第１から第３までの特徴のいずれか１に記載の光学フィルム貼り付け装置を用いて光学フィルムを表示用パネルへ貼り付けることにある。これは、前記光学フィルム貼付け装置のいずれかを用いて、表示用パネルに光学フィルムを貼り付けるようにした表示用パネルの製造方法に関するものである。
【発明の効果】
【００１１】
本発明によれば、ドラムに光学フィルムを保持して、表示パネル基板の両面にほぼ同時に光学フィルムを貼り付ける際に光学フィルムを表示パネルに均一に押し付けて高品質の貼り付け処理を行なことができるという効果がある。
【発明を実施するための最良の形態】
【００１２】
以下、図面に基づいて本発明の実施の形態を説明する。図１は、本発明の一実施の形態による偏光板貼り付け装置の全体構成を示す図である。この偏光板貼り付け装置は、図中の右方向から左方向に向かって略水平状態で移動して来た液晶パネルを略起立状態に変換して、略起立状態で進行させ、進行中の液晶パネルの第１主表面及び第２主表面に対して偏光板をほぼ同時に貼り付けるようにしたものである。
【００１３】
この実施の形態に係る偏光板貼り付け装置は、図１に示すように、略水平状態で搬送されてきた液晶パネルを略起立状態に変換して後段の偏光板貼り付けステーション２００に供給する液晶パネル供給ステーション１００と、偏光板貼り付けステーション２００の両側に設けられ、略水平状態に載置されている偏光板を略垂直状態に変換して偏光板貼り付けステーション２００に供給する偏光板供給ステーション３００，３５０と、液晶パネル供給ステーション１００から略起立状態で供給される液晶パネル（セル）の第１主表面及び第２主表面に対して、偏光板供給ステーション３００，３５０から略起立状態で供給される偏光板をほぼ同時に貼り付ける偏光板貼り付けステーション２００と、偏光板貼り付けステーション２００で偏光板の貼り付けられた液晶パネルを略起立状態から略水平状態に変換して排出する液晶パネル排出ステーション４００と、ＣＦ面の偏光板の貼付位置をフィードバック制御するＣＦ貼付位置制御装置５００と、ＴＦＴ面の偏光板の貼付位置をフィードバック制御するＴＦＴ貼付位置制御装置６００とから構成される。なお、図示していないが、偏光板貼り付けステーション２００の両側には、偏光板から剥離された保護フィルムを巻き取って排出する保護フィルム排出ステーションが設けられている。この実施の形態に係る偏光板貼り付け装置の詳細構成については、本願出願人が先に出願した特願２００８−１９１４２８号に記載してあるので、その詳細な説明は省略する。
【００１４】
液晶パネル供給ステーション１００は、入口反転部１１０とセルアライメント部１２０を含んで構成される。入口反転部１１０は、略水平状態で搬送されてきた液晶パネル１０ａを略垂直に起立された状態の液晶パネル１０ｂに反転して、次段のセルアライメント部１２０に供給する。なお、入口反転部１１０は、液晶パネル１０ｂを丁度９０度に起立した状態よりも、垂直方向に対して約８５度又は９５度のように約５度程度傾いた状態（略垂直状態）の方が効率的に液晶パネル１０ｂを搬送することができる。セルアライメント部１２０は、入口反転部１１０から搬送されてきた液晶パネル１０ｂと、これに貼付される偏光板との位置合わせを行うものである。セルアライメント部１２０は、液晶パネル１０ｂ（セル）長辺部を基準としてθ補正機構を持たないセルアライメント機構と、液晶パネル１０ｂに設けられているセルマークをカメラ１２１で認識し、カメラ基準点からのズレ量分だけセルを上下移動するセルＺアライメント機構１２２と、セルマークをカメラ１２１で認識し、そのセルマークから貼付位置寸法を貼付ローラの中心に合わせる（セルの送り量に反映させる）セルＸアライメント機構（図示せず）を備えている。セルアライメント部１２０は、パターンマッチング方式に基づいてアライメント処理を行なう。
【００１５】
偏光板貼り付けステーション２００は、液晶パネル供給ステーション１００から搬送されてきた液晶パネル１０ｄと偏光板との位置合わせを行う偏光板Ｘアライメント部と、液晶パネル１０ｄに貼り付けられる前の偏光板から保護フィルムを剥離する保護フィルム剥離部と、略起立状態の液晶パネル１０ｄに偏光板を貼り付ける偏光板貼り付け部と、偏光板供給ステーション３００，３５０から搬送されてきた偏光板を略起立状態として、偏光板貼り付け部に供給する偏光板起立供給部と、偏光板貼り付け部によって偏光板の貼り付けられた液晶パネル１０ｅを液晶パネル排出ステーション４００に搬送する偏光板付液晶パネル搬送部から構成される。偏光板Ｘアライメント部は、表示用パネルの両面（第１主表面（ＣＦ面）及び第２主表面（ＴＦＴ面））側にそれぞれ設けられており、カメラ２０１で偏光板のコーナーを認識し、その端面をＣＦ貼付位置制御装置５００及びＴＦＴ貼付位置制御装置６００から出力されるフィードバック制御値に基づいてＸ方向のアライメント処理を行なうものである。なお、偏光板貼り付けステーション２００の詳細構成についても、上記特願２００８−１９１４２８号に記載してあるので、その詳細な説明は省略する。
【００１６】
偏光板供給ステーション３００，３５０は、略水平状態の偏光板（図示せず）を起立状態（略垂直状態）に変換して、偏光板貼り付けステーション２００の吸着ドラムに正確に位置合わせして供給するものである。偏光板供給ステーション３００，３５０は、偏光板の長辺端面を基準とし、機械的位置関係で精度を保証する偏光板Ｙアライメント部を備えている。偏光板供給ステーション３００，３５０の偏光板Ｙアライメント部は、ＣＦ貼付位置制御装置５００及びＴＦＴ貼付位置制御装置６００から出力されるフィードバック制御値に基づいてＹ方向のアライメント処理を行なう。
【００１７】
偏光板貼り付けステーション２００には図示していないが保護フィルム剥離部が設けられている。この保護フィルム剥離部は、偏光板貼り付けステーション２００の吸着ドラムに吸着保持されている偏光板から保護フィルムを剥離する。偏光板の保護フィルムは、偏光板貼り付けステーション２００における貼り付け位置に最も近い位置で順次剥離されることで、偏光板への異物の付着を防止している。保護フィルム剥離部で剥離された保護フィルムは、図示していない保護フィルム排出ステーションで巻取られ、その巻取体は外部に排出される。
【００１８】
偏光板貼り付けステーション２００の偏光板貼り付け部は、偏光板供給ステーション３００，３５０から搬送されてきた起立状態（略垂直状態）の偏光板を一時的に吸着して、液晶パネル供給ステーション１００から搬送されて来た起立状態（略垂直状態）の液晶パネル１０ｄに貼り付ける。すなわち、偏光板貼り付け部は、略起立状態で供給される液晶パネル１０ｄの左右両面に偏光板をほぼ同時に貼り付ける。吸着ドラム２１０，２２０は、図に示すように、２個の円筒状のドラムが略垂直に起立した状態で平行に配置されている。この吸着ドラム２１０，２２０は、外周面が液晶パネル供給ステーション１００から移送されて来た液晶パネルの表面と一直線上で接触するように構成されている。さらに、吸着ドラム２１０，２２０は、互いに反対方向に所定の力が加えられる状態で設けられているので、両吸着ドラム２１０，２２０間を通過する液晶パネルの表面に所定の圧力が加えられることになり、これによって偏光板の同時両面貼り付け作業が行われる。このとき、両吸着ドラム２１０，２２０間を通過する液晶パネルの厚みに応じて、両吸着ドラム２１０，２２０間の間隔は自在に変動するように、両吸着ドラム２１０，２２０間には常に所定の圧力を加える圧力印加部材（図示せず）が設けられている。この圧力印加部材は、両吸着ドラム２１０，２２０にそれぞれ結合されて設けられており、互いに吸着ドラム２１０，２２０を向き合う方向に押して吸着ドラム２１０，２２０と液晶パネルとの接触面に常に一定の圧力が加えられるようにしている。
【００１９】
偏光板貼り付けステーション２００の偏光板貼り付け部は、前述のように２個の円筒状の吸着ドラム２１０，２２０から構成される。吸着ドラム２１０，２２０の構成は、所定肉厚の薄板状のパネルが円筒状に巻き回されたような構成のものや円筒状のドラム手段の外周面に設けられた粘着性のゴム部材を用いて、光学フィルムを密着保持して、光学フィルムを表示用パネルに貼り付けるようにしたものを用いることができる。吸着ドラム２１０，２２０は最も面積の大きな偏光板をその先端部及び後端部が互いに重なることなく巻き回すことががきる程度の大きさの直径をしている。このように直径の大きな吸着ドラム２１０，２２０を用いて液晶パネルの左右両側から加圧しながら貼り付けることによって、液晶パネルのＣＦ面及びＴＦＴ面に同時に貼り付けられる偏光板の大きさや貼り付け開始位置などが互いに異なる場合でも、液晶パネルの両面に偏光板をほぼ同時に貼付けることができる。偏光板の貼付られた後の液晶パネル１０ｅは、偏光板付液晶パネル搬送部によって液晶パネル排出ステーション４００に搬送される。
【００２０】
液晶パネル排出ステーション４００は、偏光板貼り付けステーション２００の下流に設けられ、偏光板貼り付けステーション２００によって偏光板の取り付けられた偏光板付液晶パネル１０ｆを排出するものである。液晶パネル排出ステーション４００は、液晶パネル供給ステーション１００と同じ構造であり、液晶パネル供給ステーション１００とは逆の動作で、両面に偏光板の貼り付けられた偏光板付液晶パネル１０ｆを略垂直に起立された状態で受取り、略水平状態に変換して排出するという処理を行う。液晶パネル排出ステーション４００の後段には、偏光板貼付位置のズレ量を測定するズレ量測定部を有する。このズレ量検出部は、エッジ検出用照明４５０，４６０，４７０と、ＣＦ貼付位置のズレ量を検出するＣＦ用カメラ４１０，４２０と、ＴＦＴ貼付位置のズレ量を検出するＴＦＴ用カメラ４３０，４４０とを備えている。
【００２１】
図２は、偏光板貼り付けステーションで液晶パネルの両面に偏光板の貼り付けられた偏光板付液晶パネルの一例を示す図である。図２において、外側の大きな四角形がズレ量検出部にて偏光板のズレ量を検出されるセルすなわち偏光板付液晶パネル１０ｇである。図に示すように、偏光板付液晶パネル１０ｇの下側の先端部には、Ｘ方向及びＹ方向のアライメント基準点となるセルアライメントマークＸ１Ｙ１が設けられ、その下側の後端部にはＹ方向のアライメント基準点となるセルアライメントマークＹ２が設けられている。偏光板付液晶パネル１０ｇの下側端面は、セルアライメント部１２０のセルθアライメント機構の基準端面となる。この実施の形態では、アライメントマークが液晶パネルの上下側の先端部と下側の後端部の３個所に設けられている場合を例に説明しているが、液晶パネルの四隅に設けられているものもある。
【００２２】
エッジ検出用照明４５０，４６０，４７０は、液晶パネルの両面に貼付されたＣＦ面及びＴＦＴ面のそれぞれの偏光板エッジ部に光を照射するものである。ＣＦ用カメラ４１０は、偏光板付液晶パネル１０ｇの先端側の一角に印されているアライメントマークＸ１Ｙ１と偏光板エッジ部に基づいてＣＦ貼付位置のＸ方向（図の左右方向）及びＹ方向（図の奥行き方向）のズレ量Ｘｃ１，Ｙｃ１を検出する。ＴＦＴ用カメラ４３０は、ＣＦ用カメラ４１０の反対側で同じくアライメントマークＸ１Ｙ１と偏光板エッジ部に基づいてＴＦＴ貼付位置のＸ方向（図の左右方向）及びＹ方向（図の奥行き方向）のズレ量Ｘｔ１，Ｙｔ１を検出する。ＣＦ用カメラ４２０は、偏光板付液晶パネル１０ｇの後端側の一角に印されているアライメントマークＹ２と偏光板エッジ部に基づいてＣＦ貼付位置のＹ方向（図の奥行き方向）のズレ量Ｙｃ２を検出する。ＴＦＴ用カメラ４４０は、ＣＦ用カメラ４２０の反対側で同じくアライメントマークＹ２と偏光板エッジ部に基づいてＴＦＴ貼付位置のＹ方向（図の奥行き方向）のズレ量Ｙｔ２を検出する。
【００２３】
ＣＦ貼付位置制御装置５００は、ＣＦ用カメラ４１０，４２０からそれぞれ出力されるズレ量Ｘｃ１，Ｙｃ１，Ｙｃ２を入力し、それに基づいたフィードバック制御値を偏光板貼り付けステーション２００のＣＦ用偏光板Ｘアライメント部及び偏光板供給ステーション３００の偏光板Ｙアライメント部にそれぞれ供給する。一方、ＴＦＴ貼付位置制御装置６００は、ＴＦＴ用カメラ４３０，４４０からそれぞれ出力されるズレ量Ｘｔ１，Ｙｔ１，Ｙｔ２を入力し、それに基づいたフィードバック制御値を偏光板貼り付けステーション２００のＴＦＴ用偏光板Ｘアライメント部及び偏光板供給ステーション３５０の偏光板Ｙアライメント部にそれぞれ供給する。
【００２４】
図３は、ＣＦ貼付位置制御装置及びＴＦＴ貼付位置制御装置の詳細構成を示す図である。ＣＦ貼付位置制御装置５００及びＴＦＴ貼付位置制御装置６００の基本的構成は同じなので、ＣＦ貼付位置制御装置５００について説明する。ＣＦ貼付位置制御装置５００は、フィードバック条件設定部５０１と、サンプリングスタート部５０２と、検査結果処理部５０３と、寸法設定部５０４と、寸法差算出許容値判定部５０５と、判定処理部５０６と、オフセットデータフィードバック部５０７と、アライメント条件自動変更部５０８とから構成される。
【００２５】
フィードバック条件設定部５０１には、サンプリングするサンプル数、フィードバック時の周期、許容データ範囲及びフィードバックレートなどのパラメータが予め設定される。サンプリングスタート部５０２には、サンプリングのスタートタイミングが設定される。通常、サンプリングのスタートは偏光板貼付処理の起動に同期してスタートされる。検査結果処理部５０３は、ＣＦ用カメラ４１０，４２０からそれぞれ出力されるズレ量Ｘｃ１，Ｙｃ１，Ｙｃ２を入力し一時的にセーブし、セーブされたデータがフィードバック条件設定部５０１によって設定された許容データ範囲よりも大きいか否かの判定を行い、大きい場合には、そのズレ量は範囲外データとして削除処理し、許容データ範囲内のデータ数が所定のサンプル数（例えば、２〜３ロット分の枚数又は４０〜１００枚）に到達した時点で、そのセーブデータ（分析データ）の平均値を算出し、寸法差算出許容値判定部５０５に出力する。なお、セーブされたデータが許容データ範囲よりも大きい場合には、その旨を表示装置に表示したり、偏光板付液晶パネル１０ｇにその旨のマーキングを施すようにしてもよい。
【００２６】
設計寸法及び現在寸法部５０４には、偏光板貼り付け装置によって貼付処理される液晶パネルと偏光板との間のズレ量の設計寸法値と、現在貼付処理中の液晶パネルと偏光板との間の実際のズレ量である現在寸法値とが記憶されている。寸法差算出許容値判定部５０５は、検査結果処理部５０３から出力される分析データの平均値と、設計寸法値及び現在寸法値との差分値を計算し、その差分値が許容値よりも小さいか否かの判定を行い、許容値よりも小さい場合には、フィードバック処理を行なわないことを示すフラグ「Ｎ」を立て、許容値よりも大きい場合には、フィードバック処理を行なうことを示すフラグ「Ｙ」を立てる。フィードバック処理判定部５０６では、寸法差算出許容値判定部５０５によって設定されたフラグが「Ｎ」なのか「Ｙ」なのかを判定し、「Ｎ」の場合は処理を終了し、「Ｙ」の場合は、オフセットデータフィードバック部５０７にフィードバック処理を行なうように指示する。この偏光板貼り付け装置の処理では、常にフィードバック処理を行なうのではなく、２〜３ロット分の枚数又は４０〜１００枚毎に分析データの平均値を算出し、その平均値が許容範囲以下の場合にはフィードバック処理を行なわないようにしている。これは、偏光板のロット毎に多少のバラツキが生じることがわかっているので、常にフィードバック処理を行なうことによって逆に貼り付け精度を劣化させるおそれがあるからである。
【００２７】
オフセットデータフィードバック部５０７は、分析データの平均値に所定係数（１以下の数値、例えば０．３〜０．７の数値）を乗じたものをアライメント条件値としてアライメント条件自動変更部５０８に出力する。これは、分析データの平均値をそのままアライメント条件値として設定することによって、アライメント位置が急激に変動することを抑制し、徐々にズレ量を補正することによって、より安定した貼付け位置精度を維持できるようにしたものである。アライメント条件自動変更部５０８は、自動的に変更されたアライメント条件値（Ｘアライメント値及びＹアライメント）を一時的に記憶し、Ｘアライメント値偏光板貼り付けステーション２００のＣＦ用偏光板Ｘアライメント部及び，Ｙアライメント）偏光板供給ステーション３００の偏光板Ｙアライメント部にそれぞれ供給する。
【００２８】
上述の実施の形態では、液晶パネルの両面にほぼ同時に偏光板を貼り付ける場合について説明したが、従来のように、片面ずつに偏光板を貼り付ける場合にも同様に適用可能である。
【図面の簡単な説明】
【００２９】
【図１】本発明の一実施の形態による偏光板貼り付け装置の全体構成を示す図である。
【図２】偏光板貼り付けステーションで液晶パネルの両面に偏光板の貼り付けられた偏光板付液晶パネルの一例を示す図である。
【図３】ＣＦ貼付位置制御装置及びＴＦＴ貼付位置制御装置の詳細構成を示す図である。
【符号の説明】
【００３０】
１０ａ〜１０ｄ…液晶パネル
１０ｅ，１０ｆ，１０ｇ…偏光板付液晶パネル
１００…液晶パネル供給ステーション
２００…偏光板貼り付けステーション
３００，３５０…偏光板供給ステーション
４００…液晶パネル排出ステーション
５００…ＣＦ貼付位置制御装置５００
６００…ＴＦＴ貼付位置制御装置
１１０…入口反転部
１２０…セルアライメント部
１２１，２０１…カメラ
１２２…セルＺアライメント機構
２１０，２２０…吸着ドラム
４５０，４６０，４７０…エッジ検出用照明
４１０，４２０…ＣＦ用カメラ
４３０，４４０…ＴＦＴ用カメラ
Ｘ１Ｙ１，Ｙ２…セルアライメントマーク
【図１】
2010072183.tif 000003
【図２】
2010072183.tif 000004
【図３】
2010072183.tif 000005